【手続補正書】
【提出日】平成26年6月6日(2014.6.6)
【手続補正１】
【補正対象書類名】特許請求の範囲
【補正対象項目名】全文
【補正方法】変更
【補正の内容】
【特許請求の範囲】
【請求項１】
生理学的薬物動態モデルを使用して、患者に注入されたコントラスト増強剤を含む造影剤の伝播をモデル化する方法であって、生理学的薬物動態モデルに、少なくとも一つの末梢静脈コンパートメント内の非線形飽和期間、または少なくとも一つのコンパートメントを通しての少なくとも一つの設定可能な伝達遅延期間を組み込むことを含む方法。
【請求項２】
前記生理学的薬物動態モデルが、前記患者の関心領域について時間造影効果曲線を推定するために適応される、請求項１の方法。
【請求項３】
前記少なくとも一つの設定可能な伝達遅延が、少なくとも部分的に少なくとも一つの患者特異的な変数に基づき設定可能な、請求項１の方法。
【請求項４】
前記生理学的薬物動態モデルが、造影剤の注入を中止した後の造影剤の伝播をモデル化するために適応される、請求項１の方法。
【請求項５】
前記生理学的薬物動態モデルが、血液の体積流量および造影剤の伝播に対するその効果をモデル化する、請求項４の方法。
【請求項６】
前記生理学的薬物動態モデルが、造影剤の注入後のコントラスト増強剤を含まない流体の注入時の、造影剤の伝播に対する効果をモデル化する、請求項５の方法。
【請求項７】
前記生理学的薬物動態モデルのための少なくとも一つのパラメータが、少なくとも部分的に複数の個人からのデータに基づき決定される、請求項１の方法。
【請求項８】
前記生理学的薬物動態モデルのための少なくとも一つのパラメータが、少なくとも部分的に少なくとも一つの患者特異的な変数に基づき決定される、請求項１の方法。
【請求項９】
前記生理学的薬物動態モデルのための少なくとも一つのパラメータが、少なくとも部分的に、造影剤の注入により結果的に生成される、前記患者の少なくとも一つの時間造影効果曲線から決定される、請求項１の方法。
【請求項１０】
前記生理学的薬物動態モデルが、注入システムおよび撮像システムを備え、注入処置のための少なくとも一つのパラメータの生成に使用されるシステムに組み込まれる、請求項１の方法。
【請求項１１】
請求項２の方法であって、前記患者についての時間造影効果曲線を推定するために、生理学的薬物動態モデルを使用することと、注入処置の少なくとも一つのパラメータを、少なくとも部分的に前記推定時間造影効果曲線に基づき決定することをさらに含む方法。
【請求項１２】
生理学的薬物動態モデルを使用して患者に注入する造影剤の伝播をモデル化する方法であって、血液の体積流量および造影剤の注入を終止した後の造影剤の伝播に対するその効果をモデル化することを含む方法。
【請求項１３】
前記生理学的薬物動態モデルが、造影剤の注入後のコントラスト増強剤を含まない流体の注入時の、造影剤の伝播に対する効果をモデル化する、請求項１２の方法。
【請求項１４】
前記生理学的薬物動態モデルが、前記患者の関心領域について時間造影効果曲線を推定するために適応される、請求項１３の方法。
【請求項１５】
前記生理学的薬物動態モデルが、末梢静脈コンパートメント内の少なくとも一つの非線形飽和期間、または少なくとも一つのコンパートメントを通しての少なくとも一つの設定可能な伝達遅延期間を含む、請求項１３の方法。
【請求項１６】
前記生理学的薬物動態モデルのための少なくとも一つのパラメータが、少なくとも部分的に複数の個人からのデータに基づく、請求項１３の方法。
【請求項１７】
前記生理学的薬物動態モデルのための少なくとも一つのパラメータが、少なくとも部分的に少なくとも一つの患者特異的な変数に基づき決定される、請求項１３の方法。
【請求項１８】
前記生理学的薬物動態モデルのための少なくとも一つのパラメータが、少なくとも部分的に、造影剤の注入により結果的に生成される、前記患者の少なくとも一つの時間造影効果曲線に基づき決定される、請求項１３の方法。
【請求項１９】
請求項１４の方法であって、前記生理学的薬物動態モデルを使用して前記患者について時間造影効果曲線を推定することと、注入処置の少なくとも一つのパラメータを、少なくとも部分的に前記推定時間造影効果曲線に基づき決定することをさらに含む方法。
【請求項２０】
請求項１９の方法であって、診断用造影剤の注入時に時間造影効果曲線を使用して前記モデルを更新し、前記注入処置の少なくとも一つのパラメータを変更することをさらに含む方法。
【請求項２１】
注入処置のための少なくとも一つのパラメータを決定するためのパラメータ生成システムを含むシステムであって、前記パラメータ発生装置システムが、末梢静脈コンパートメント内の少なくとも一つの非線形飽和期間、少なくとも一つのコンパートメントを通しての少なくとも一つの設定可能な伝達遅延期間、または血液の体積流量および造影剤の注入を終止した後の造影剤の前記伝播に対するその効果をモデル化するための適応を含む、患者に注入された造影剤の伝播をモデル化するための生理学的薬物動態モデルを含むシステム。
【請求項２２】
前記生理学的薬物動態モデルのための少なくとも一つのパラメータが、少なくとも部分的に前記患者の少なくとも一つの時間造影効果曲線から決定される、請求項２１のシステム。
【請求項２３】
請求項２１のシステムであって、患者に注入された造影剤の伝播をモデル化するためのノンパラメトリックモデルをさらに含むシステム。
【請求項２４】
少なくとも一つのパラメータが前記生理学的薬物動態モデルに基づく最適化方法を使用して決定される、請求項２１のシステム。
【請求項２５】
前記少なくとも一つのパラメータが、生理学的薬物動態モデルまたはノンパラメトリックモデルのうち少なくとも一つに基づく最適化方法を使用して決定される、請求項２３のシステム。
【手続補正２】
【補正対象書類名】明細書
【補正対象項目名】００１３
【補正方法】変更
【補正の内容】
【００１３】
数多くの現在の定量分析技術において、臨床的実用性は、通常使用への適応の可能性を減らすことになっている。現時点で利用可能な生理学的モデルは、数多くの生理的パラメータの事前の推定を必要とすることがある（例えば、心拍出量、器官および大血管血液容積、透過性要因）。さらに、モデルは、ある一定の数学的限界のため、試験的ボーラス造影効果に基づく患者ごとの適応にむけて正しく方向付けられてないことがある。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２００８／００９７１９７号明細書
（非特許文献）
（非特許文献１）  ＧＥＲＬＯＷＳＫＩ  ｅｌ  ａｌ．Ｐｈｙｓｉｏｌｏｇｉｃａｌｌｙ  Ｂａｓｅｄ  Ｐｈａｒｍａｃｏｋｉｎｅｔｉｃ  Ｍｏｄｅｌｉｎｇ：Ｐｒｉｎｃｉｐｌｅｓ  ａｎｄ  Ａｐｐｌｉｃａｔｉｏｎｓ．Ｊｏｕｒｎａｌ  ｏｆ  Ｐｈａｒｍａｃｅｕｔｉｃａｌ  Ｓｃｉｅｎｃｅｓ，１９８３，Ｖｏｌ  ７２．ｐｐ  １１０４−１１２５；ｐｇ  １１０３，ｃｏｌ  １，ｐａｒａ  １；ｃｏｌ  ２，ｐａｒ  ２；ｐｇ  １１０４，ｃｏｌ  ２，ｐａｒａ  ３；ｐｇ  １１０５，ｃｏｌ  １，ｐａｒａ  １；ｐｇ  １１０６，ｃｏｌ  ２，ｐａｒａ  ２；ｐｇ  １１２４．ｃｏｌ  １，ｐａｒａ  ４